(57)【要約】【課題】いかなる状況下、設置条件下でも確実に温水タンク焼損を起こさない衛生洗浄装置を提供する。【解決手段】便座と、人体局部を洗浄する洗浄手段と、前記洗浄手段に温水を供給する温水タンクユニットを備え、前記温水タンクユニットには、温水を貯湯する温水タンク１と、温水ヒータ４と、サーミスタ２と、前記温水ヒータ４の熱を前記サーミスタ２に熱伝導させる放熱部材１３と、温水ヒータ４を制御する制御手段３からなり、前記制御手段３は、前記温水ヒータ４の通電開始時には、所定時間ＯＮ−ＯＦＦ通電繰返し行うため、いかなる状況下で温水タンク１内が空水だとしても、温水ヒータ４の熱を放熱部材１３を介してサーミスタ２に伝えられるため、温水タンク１内水温設定温度で温水ヒータ４への通電を遮断することを可能とした。【選択図】　図２
2004003228.tif 000002
【特許請求の範囲】
【請求項１】
便座と、人体局部を洗浄する洗浄手段と、前記洗浄手段に温水を供給する温水タンクユニットを備え、前記温水タンクユニットには、温水を貯湯する温水タンクと、温水ヒータと、サーミスタと、前記温水ヒータの熱を前記サーミスタに熱伝導させる放熱部材と、温水ヒータを制御する制御手段からなり、前記制御手段は、前記温水ヒータの通電開始時には、所定時間ＯＮ−ＯＦＦ通電を複数回繰返し行う構成としてなる衛生洗浄装置。
【請求項２】
ＯＮ−ＯＦＦ通電の繰返しは、電源投入直後のみとする請求項１記載の衛生洗浄装置。
【請求項３】
電源投入後、所定時間内は温水ヒータへの通電を行なわない請求項１または２記載の衛生洗浄装置。
【請求項４】
温水タンクには止水弁を介して外部から水を供給する構成とし、制御手段は、洗浄操作後、止水弁を開いた後、所定時間遅延させて温水ヒータに通電制御する請求項１から３いずれか１項記載の衛生洗浄装置。
【請求項５】
制御手段は、温水タンク内の水温設定温度と、その設定温度より高い空焚き検知温度とを有し、サーミスタの検知温度が、前記温水タンク内の水温設定温度で温水ヒータへの通電遮断後、空焚き検知温度に達した場合は、復帰動作を行うまで前記温水ヒータへの通電を遮断する請求項１から４いずれか１項記載の衛生洗浄装置。
【請求項６】
温水タンク内の水温の設定温度に対応して、各々別の空焚き検知温度を有する請求項５記載の衛生洗浄装置。
【請求項７】
サーミスタが空焚き検知温度を検知すると、ＬＥＤを点滅させ、使用者に知らせるように構成してなる請求項５また６記載の衛生洗浄装置。
【請求項８】
ＬＥＤの点滅パターンを、他の異常時のＬＥＤ表示パターンと異なる表示パターンとしてなる請求項７記載の衛生洗浄装置。
【発明の詳細な説明】
【０００１】
【発明の属する技術分野】
本発明は衛生洗浄装置の温水タンク、とりわけ空焚き検知の制御手段に関するものである。
【０００２】
【従来の技術】
従来、この種の衛生洗浄装置の温水タンク空焚き検知手段としては、特開２００１−５２５７８公報に記載されているようなものがあった。図７は、前記公報に記載された従来の衛生洗浄装置の温水タンクユニット断面概略図を示すものである。
【０００３】
図７に示す温水タンクユニットにおいて、温水タンク１内の水温をサーミスタ２で検知し、所定の設定温度になる様、制御手段３は、温水ヒータ４を制御している。また、設定温度に即なるように、設定温度近傍まで温水ヒータ４へは通電し続けている。空焚き検知手段として、温水タンク１内の水位が所定の値以下であれば温水ヒータ４への通電を停止させるフロートスイッチ５を設けている。フロートスイッチ５にはフロート６が設けられており、フロート６の位置で水位を検知している。フロートスイッチ５には異物の介入による誤作動防止機構が搭載されている。
【０００４】
【発明が解決しようとする課題】
しかしながら、前記従来の構成では、いかなる異物の介入による誤作動防止機構を搭載したとしても、温水タンクユニット自体を傾ければフロートスイッチ５が温水タンク１内が空水だとしても満水だと誤検知し、制御手段３は温水ヒータ４への通電を開始する。サーミスタ２は雰囲気温度しか検知していないために、その雰囲気温度が温水タンク１内水温設定温度になるまで温水ヒータ４への通電は続けられる。その間に温水ヒータ４表面温度は異常上昇し、その熱により温水タンクユニットが焼損するという課題を有していた。また設定温度近傍まで温水ヒータ４へは通電し続けているため、焼損の度合いが大きいという課題も同時に有していた。
【０００５】
本発明は、前記従来の課題を解決するもので、いかなる状況下でも確実に焼損を起こさない衛生洗浄装置を提供することを目的とする。
【０００６】
【課題を解決するための手段】
前記従来の課題を解決するために、本発明の衛生洗浄装置の温水タンクは、温水ヒータと、サーミスタと、温水ヒータの熱をサーミスタに熱伝導させる放熱部材と、温水ヒータを制御する制御手段からなり、制御手段は、前記温水ヒータの通電開始時に、所定時間ＯＮ−ＯＦＦ通電を複数回繰返し行うシーケンスを搭載したものである。
【０００７】
これによって、サーミスタは放熱部材を介し、温水ヒータからの熱を即検知することが可能なために、例え、温水タンク空水状態で温水タンクユニット自体を傾けられたとしても、温水タンクユニットが焼損するまで温水ヒータに通電されることはない。
【０００８】
また、温水タンク内水温設定温度近傍まで温水ヒータへ通電し続けるのではなく、温水ヒータの駆動開始時に、所定時間ＯＮ−ＯＦＦ通電を複数回繰返し行うことで、温水タンク内が空水の場合、この所定時間内にサーミスタ検知温度が、温水タンク内水温設定温度に達する様に設定しておけば、温水ヒータに通電し続けて、温水タンク内水温設定温度近傍でＯＦＦする場合より、温水ヒータの輻射熱による温水タンクへの影響を同時に軽減する。
【０００９】
【発明の実施の形態】
請求項１に記載の発明は、便座と、人体局部を洗浄する洗浄手段と、前記洗浄手段に温水を供給する温水タンクユニットを備え、前記温水タンクユニットには、温水を貯湯する温水タンクと、温水ヒータと、サーミスタと、前記温水ヒータの熱を前記サーミスタに熱伝導させる放熱部材と、温水ヒータを制御する制御手段からなり、前記制御手段には、前記温水ヒータの通電開始時に、所定時間ＯＮ−ＯＦＦ通電を複数回繰返しさせるシーケンスを搭載することにより、いかなる状態、状況下で温水タンク内が空水だとしても、温水ヒータの熱を放熱部材を介してサーミスタに伝えられるため、温水タンク内水温設定温度で温水ヒータへの通電を遮断することを可能とし、さらに温水ヒータ表面温度を所定時間ＯＮ−ＯＦＦ通電させることで下げられるため、温水ヒータの輻射熱による温水タンクの損傷を防止する。
【００１０】
請求項２に記載の発明は、請求項１に記載の所定時間ＯＮ−ＯＦＦ通電させるシーケンスを、温水ヒータへの通電時、毎回行なうのではなく、電源投入直後の温水ヒータへの通電時のみとし、それ以降の温水ヒータへの通電時にはＯＮ−ＯＦＦ通電を行なわないとすることにより、通常使用時、温水タンク内水温設定温度近傍まで温水ヒータへ通電し続けるため、温水タンク湯温沸き上げ時間を短縮することができる。温水タンク空水状態は、設置時、電源投入時が想定されるため、その時点は輻射熱による影響を防止するシーケンスが必要だが、それ以外は温水タンク内に水が存在すると想定されるため、沸き上げ時間を短縮するためにも所定時間ＯＮ−ＯＦＦ通電させるシーケンスは必要ない。
【００１１】
請求項３に記載の発明は、特に電源投入時、所定時間内は温水ヒータへの通電を行なわないとすることにより、設置者が電源投入後、温水タンク空水状態で放置したとしても所定時間、所定動作まで温水ヒータへの通電が行われないため、温水ヒータの輻射熱による温水タンクへの影響を軽減することができる。
【００１２】
請求項４に記載の発明は、特に温水タンクには止水弁を介して外部から水を供給する構成とし、制御手段は、洗浄操作後、止水弁を開いた後、所定時間遅延させて温水ヒータに通電制御をすることにより、温水タンク空水状態から洗浄、要は温水タンクに水を入れ始める時に、温水ヒータ部が水に浸水した後、温水ヒータに通電されるため、温水ヒータの輻射熱による温水タンクへの影響を軽減することができる。
【００１３】
請求項５に記載の発明は、特に制御手段に、温水タンク内の水温設定温度と、その設定温度より高い空焚き検知温度とを持たせ、サーミスタの検知温度が、温水タンク内の水温設定温度で温水ヒータへの通電遮断後、空焚き検知温度に達した場合は、復帰動作を行うまで、温水ヒータへの通電を遮断することにより、温水タンク内満水では起こらないが、温水タンク空水時には、オーバーシュートでサーミスタの検知温度が、空焚き検知温度に達するという、より簡単な制御手段で空焚きだと判断することが可能で、また復帰動作を行うまで、温水ヒータへの通電を行わないため、知らず知らずのうちに空焚きを繰り返すという事のない、安全な衛星洗浄装置を提供することができる。
【００１４】
請求項６に記載の発明は、特に、請求項５に記載の空焚き検知温度を、温水タンク内の水温設定温度に対応して、各々別の値とすることにより、温水タンク空水時に、いかなる温水タンク内の水温設定温度で、温水ヒータへの通電を遮断したとしても、オーバーシュートによるサーミスタの検知温度が、空焚き検知温度に必ず達っするため、いかなる場合も空焚きだと判断することができる。
【００１５】
請求項７に記載の発明は、特にサーミスタが空焚き検知温度を検知すると、ＬＥＤを点滅させ、使用者に異常を知らせることにより、異常な状態で衛星洗浄装置が放置され、最悪、火災などを未然に防ぐことができる。
【００１６】
請求項８に記載の発明は、特に空焚き時のＬＥＤの点滅パターンを他の異常時のＬＥＤ表示パターンと変えることにより、瞬時にどのような種類の異常か使用者は判断することができ、異常処置への対応時間短縮を図る事ができる。
【００１７】
【実施例】
以下本発明の実施例について、図面を参照しながら説明する。
【００１８】
（実施例１）
図１は、本発明の実施例における衛星洗浄装置の概略図、図２は本発明の実施例における衛星洗浄装置の温水タンクユニットの部分断面図、図３は本発明の実施例における衛星洗浄装置の温水タンクユニットの放熱部材部拡大図を示すものである。
【００１９】
図１における衛星洗浄装置は、本体７と便座８と弁蓋９と、本体７内に人体局部を洗浄する洗浄手段１０と、洗浄手段１０に温水を供給する温水タンクユニット１１とで構成されており、温水タンクユニット１１への水の供給は、止水弁１２を介して外部から行われている。図２に示すように、温水タンクユニット１１は、温水を貯湯する温水タンク１と、温水ヒータ４と、サーミスタ２と、温水ヒータ４の熱をサーミスタ２に熱伝導させる放熱部材１３と、温水ヒータ４を制御する制御手段３とで構成されている。一例を図３に示すが、温水ヒータ４、放熱部材１３、サーミスタ２は互いに接触しあう構成である。３部品は温水タンク１内で接触しあっているが、放熱部材１３の形状によっては、温水ヒータ４の熱を、温水タンク１外部の放熱部材１３を介して、サーミスタ２に熱伝導させることも可能である。また、放熱部材１３なしで直接温水ヒータ４とサーミスタ２とを接触させ、熱伝導させる手段も考えられる。ここでは腐食対策、また部品間に電位差を生じさせないために、温水ヒータ４、放熱部材１３、サーミスタ２の表面材料はＣ１２２０とするが、場合によっては３部品とも同じ材料にする必要はないし、Ｃ１２２０でなくても良い。
【００２０】
以上のように構成された衛星洗浄装置について、以下その動作、作用を説明する。
【００２１】
温水タンク１内の水温をサーミスタ２で検知し、所定の設定温度になる様、制御装置３は、温水ヒータ４を制御している。通常に水が温水タンク１に入っている時は、温水ヒータ４の熱はサーミスタ２まで伝わる前に、放熱部材１３で水中に放熱されるため、サーミスタ２は実際の水温のみを検知することとなる。ここで温水タンク１内の水が抜けたとし、本体７を傾けて持ったりしたとしても、温水ヒータ４の熱はサーミスタ２まで伝わる構成のため、制御装置３は温水ヒータ４の制御可能であるため、温水タンク１が焼損することはない。また、温水ヒータ４の通電開始時には、所定時間ＯＮ−ＯＦＦ通電を複数回繰返し行う構成であるため、温水タンク１空水時に、サーミスタ検知温度が、温水タンク内水温設定温度に達したときの温水ヒータ４表面温度が、常に温水ヒータ４に通電して、温水タンク内水温設定温度にたっせさせる場合より低いため、温水ヒータ４の輻射熱による温水タンク１への影響をなくすこととなる。図４、図５に所定時間ＯＮ−ＯＦＦ通電を複数回繰返し行う場合と、常に通電し続けた場合の温水ヒータ表面温度の時間関係を示すが、構成から分かるように、同じ温度の、温水タンク内水温設定温度を、サーミスタ２が検知するときは、両者とも基本的には、温水ヒータ４からの熱量を、同容量放熱部材１３が受けたときであるため、同容量受け取るためには、所定時間ＯＮ−ＯＦＦ通電を複数回行うと、α時間余計にかかるが、β℃温水ヒータ表面温度は下がることとなる。
【００２２】
また、本実施例では、所定時間ＯＮ−ＯＦＦ通電させるシーケンスを、温水ヒータ４への通電時、毎回行なうのではなく、電源投入直後の温水ヒータ４への通電時のみとし、それ以降の温水ヒータへの通電時にはＯＮ−ＯＦＦ通電を行なわないとしたことにより、通常使用時、温水タンク内水温設定温度近傍まで温水ヒータへ通電し続けるため、温水タンク湯温沸き上げ時間を短縮することができる。温水タンク空水状態は、設置時、電源投入時が想定されるため、その時点は輻射熱による影響を防止するシーケンスが必要だが、それ以外は温水タンク１内に水が存在すると想定されるため、沸き上げ時間を短縮するためにも所定時間ＯＮ−ＯＦＦ通電繰返しさせるシーケンスは必要ない。
【００２３】
また、本実施例において、電源投入時、所定時間内、または洗浄ボタンを押す等の所定動作を行うまでは、温水ヒータ４への通電を行なわず、その後ＯＮ−ＯＦＦ通電を繰返し行うシーケンスとするため、設置者が電源投入後、温水タンク１空水状態で放置したとしても所定時間、所定動作まで温水ヒータ４への通電は一切行われないため、温水ヒータ４の輻射熱による温水タンク１への影響を軽減することができる。
【００２４】
また、制御手段１０には、洗浄操作時、止水弁１２を開いた後、所定時間遅延させて温水ヒータ４に通電制御をするシーケンスを搭載しているため、温水タンク１空水状態から洗浄、要は温水タンク１に水を入れ始める時に、温水ヒータ４部が水に浸水した後、温水ヒータ４に通電されるため、温水ヒータ４の輻射熱による温水タンク１への影響を軽減することができる。
【００２５】
また、本実施例では、特に制御手段に、温水タンク１内の水温設定温度と、その設定温度より高い空焚き検知温度とを持たせ、サーミスタ２の検知温度が、温水タンク１内の水温設定温度で温水ヒータ４への通電遮断後、空焚き検知温度に達した場合は、温水ヒータ４への通電を、着座洗浄動作という復帰動作を行うまで遮断するシーケンスとしたことにより（図６参照）、温水タンク内に水がある場合は起こらないが、温水タンク空水時には、オーバーシュートでサーミスタの検知温度が、空焚き検知温度に達するという、より簡単な制御手段で空焚きだと判断することが可能で、また復帰動作を行うまで、温水ヒータ４への通電を一切行わないため、温水タンク１が空でも、空焚き検知後、サーミスタ２検知温度が下がり、温水タンク内の水温設定温度で再度温水ヒータ４を制御し、知らず知らずのうちに、空焚きを繰り返すという事のない、安全な衛星洗浄装置を提供することができる。
【００２６】
また、空焚き検知温度を、温水タンク１内の水温設定温度に対応して、各々別の値としているため（例えば設定温度が「高」「低」の二種類なら、空焚き検知温度も２種類分ける。）、温水タンク空水時に、いかなる温水タンク内の水温設定温度で、温水ヒータ４への通電を遮断したとしても、オーバーシュートによるサーミスタ２の検知温度が、必ず空焚き検知温度に達っせられるため、いかなる状況でも空焚きだと判断することができる。
【００２７】
また、サーミスタ２が空焚き検知温度を検知すると、他の異常状態と違うＬＥＤを点滅させ（点灯でもかまわないし、同じＬＥＤでも点滅周期を変える構成でも良い）、使用者に温水タンクに水が入っていないことを知らせる構成としているため、使用者は温水タンク１に水を入れなければならないことを瞬時に判断することができ、異常処置への対応方法、及び対応時間短縮を図る事ができる。
【００２８】
【発明の効果】
以上のように、本発明によれば、いかなる状況下、例えば雰囲気温度、衛星洗浄装置の設置状態でも確実に焼損を起こさない衛生洗浄装置を提供することができる。
【図面の簡単な説明】
【図１】本発明の実施例における衛星洗浄装置の概略図
【図２】本発明の実施例における衛星洗浄装置の温水タンクユニットの部分断面図
【図３】本発明の実施例における衛星洗浄装置の温水タンクユニットの放熱部材部拡大図
【図４】本発明の実施例における所定時間ＯＮ−ＯＦＦ通電繰返しさせた場合の温水ヒータ表面温度を示す図
【図５】本発明の実施例における常に通電し続けた場合の温水ヒータ表面温度を示す図
【図６】本発明の実施例におけるサーミスタ検知温度の時間経過を示す図
【図７】従来の衛星洗浄装置の温水タンクユニット断面概略図
【符号の説明】
１　温水タンク
２　サーミスタ
３　制御手段
４　温水ヒータ
８　便座
１０　洗浄手段
１１　温水タンクユニット
１２　止水弁
１３　放熱部材
【図１】
2004003228.tif 000003
【図２】
2004003228.tif 000004
【図３】
2004003228.tif 000005
【図４】
2004003228.tif 000006
【図５】
2004003228.tif 000007
【図６】
2004003228.tif 000008
【図７】
2004003228.tif 000009